(57)【特許請求の範囲】
【請求項１】
設置場所に略垂直に立てる支柱と、この支柱に軸方向への移動を可能に装着した旗等の掲揚物を保持する保持部材と、この保持部材を昇降動させる昇降手段とを備えた掲揚装置であって、
前記保持部材は、前記掲揚物の二辺縁を保持するために前記支柱に沿う垂直方向取付けバーと該垂直取付けバーに対して回動可能に枢着される水平方向取付けバーとが組み合わされて構成するとともに、支柱に回動可能に装着し、
前記昇降手段を前記支柱の下部に取付けたリールと、このリールに巻装し、一端側を前記支柱内に下部から挿通させて上部において引出して前記保持部材に連結させた索材により構成した掲揚装置。
【請求項２】
請求項１に記載の掲揚装置であって、保持部材の一部に外風の向きに同保持部材をほぼ平行に向ける羽根を設けた掲揚装置。
【発明の詳細な説明】
【０００１】
【発明の属する技術分野】
本発明は、旗や幟等の掲揚物を掲揚するための掲揚装置に関するものである。
【０００２】
【従来の技術】
旗等を掲揚する従来の掲揚装置は、設置場所に略垂直に立てられる上端部に滑車が取付けられた支柱と、索材とから構成されている。索材は滑車に掛け回されループにされて垂下されている。索材に旗類を固定するための金具が付けられているものもある。旗等を掲揚する場合には、金具又は索材に旗等を縛り付け、ループになった索材を順次引き込んでいき、旗等を支柱上端部に掲げた状態にして索材を支柱下部において固定する。降ろす場合には揚げるときとは逆の操作を行えばよい。
【０００３】
【発明が解決しようとする課題】
上記した従来の掲揚装置においては、使用していないときには索材の下部を支柱の下部に巻着させておくが、索材が風に揺られ支柱に当って頻繁に衝突音が発せられ耳障りになることがしばしば起こる。また、掲揚状態では風で旗等が支柱に巻き付いて良く見えなくなってしまったり、旗等を降ろすことが困難になったりするといった問題点があった。
【０００４】
本発明は、係る従来の問題点を解決するためになされたものであって、その課題は、耳障りな音を発することのない掲揚装置を得ることであり、見栄えよく旗等を掲げることができる操作性の良い掲揚装置を得ることである。
【０００５】
【課題を解決するための手段】
前記課題を達成するために請求項１の発明は、設置場所に略垂直に立てる支柱と、この支柱に軸方向への移動を可能に装着した旗等の掲揚物を保持する保持部材と、この保持部材を昇降動させる昇降手段とを備えた掲揚装置であって、前記保持部材は、前記掲揚物の二辺縁を保持するために前記支柱に沿う垂直方向取付けバーと該垂直取付けバーに対して回動可能に枢着される水平方向取付けバーとが組み合わされて構成するとともに、支柱に回動可能に装着し、前記昇降手段を前記支柱の下部に取付けたリールと、このリールに巻装し、一端側を前記支柱内に下部から挿通させて上部において引出して前記保持部材に連結させた索材により構成する手段を採用する。
【０００６】
上記手段を採用することによって、非使用時に索材が外風を受けても支柱に衝突することは殆どないばかりでなく、索材を外風の作用を受けない支柱内に収めておくことができる。また、掲揚物を見易い状態に保持することができるうえ、風向きに応じで掲揚物が回動するようになる。
【０００９】
前記課題を達成するために請求項２の発明は、請求項１に係る前記手段において、保持部材の一部に、外風の向きに同保持部材をほぼ平行に向ける羽根を設ける手段を採用する。
【００１０】
上記手段を採用することによって、請求項１に係る前記機能とともに風向きに対する応動性が向上する。
【００１１】
【発明の実施の形態】
図１〜図１１によって示す本実施の形態は、主として旗等の柔軟な掲揚物１を掲揚するための掲揚装置に関するものである。この掲揚装置は、図１に示すように設置場所にアンカーボルト２等により略垂直に立てられる支柱３と、この支柱３に軸方向への移動を可能に装着された掲揚物１を保持する保持部材４と、この保持部材４を昇降動させる昇降手段とを備えている。支柱３は、図１，図２に示すようにアンカーボルト２等に固定する基板５を供えたベース構造６に、アルミパイプ等で構成された支柱部分７の下部が内嵌合されボルトにより固定されている。支柱部分７の天頂部は開放していて、図４に示すように支柱部分７に対して回転可能に嵌め装着されたキャップ８により被冠されている。
【００１２】
支柱部分７のベース構造６に嵌込む部分の内部と、キャップ８の内部には図１，図２，図３に示すように垂直面内で回転する案内ロール９がそれぞれ固定されている。支柱部分７の案内ロール９に対向するベース構造６には垂直面内で巻付けロール１０が回転するリール１１が固定されている。巻付けロール１０の軸には操作ハンドル１２が設けられ、操作ハンドル１２の回転操作により巻付けロール１０を巻付け方向にも巻戻し方向にも回転させることができる。巻付けロール１０の回転は図３に示すようにロール保持部１３に止めピン１４を挿通することにより規制することができる。図２，図３に示すように、巻付けロール１０と案内ロール９とを結ぶ線上の支柱部分７とベース構造６には索材挿通孔１５が開設されている。
【００１３】
キャップ８の外周部の一部には庇状のフード１６が設けられ、フード１６内に内部の案内ロール９に並んで外部の案内ロール１７が回転可能に装着されている。キャップ８の案内ロール９と案内ロール１７とを結ぶ線上にも索材挿通孔１５が開設されている。
【００１４】
保持部材４は、図６，図７，図８に示すように支柱３に沿う垂直方向の取付けバー１８と、水平方向の取付けバー１９とがアングル状に組合わされて構成され、垂直方向の取付けバー１８に設けられた複数個の案内リング２０により、支柱３に上下方向の移動と回動とを可能に装着されている。水平方向の取付けバー１９はその基部側において垂直方向の取付けバー１８に対して回動可能に枢着され、通常は取外し可能の支持ピン２１により水平状態に保持されている。この水平方向の取付けバー１９の上側には外風の向きに保持部材４全体をほぼ平行に向ける羽根２２が設けられている。なお、羽根２２は図６の仮想線に示すように、必要により大きい羽根２２Ａとしてもよい。
【００１５】
昇降手段は、ベース構造６に取付けられたリール１１と、このリール１１に巻装された索材２３とにより構成され、巻付けロール１０に巻回された索材２３の一端側は、索材挿通孔１５から支柱部分７内に挿通され、案内ロール９とキャップ８の二個の案内ロール９，１７に掛け回されキャップ８の索材挿通孔１５から外部に引き出されて保持部材４の上端部の連結部２４に連結されている。
【００１６】
この掲揚装置の保持部材４をベース構造６近くまで巻付けロール１０の操作ハンドル１２を巻戻し操作して降ろしておいて、掲揚物１の二辺縁を各取付けバー１８，１９の紐挿通孔を使って広げた形態に取付け、操作ハンドル１２の操作で索材２３を巻付けロール１０に巻付けていくことにより、掲揚物１を支柱３上部に掲揚することができる。掲揚物１が所定の高さに掲揚できたら、止めピン１４を装着して巻付けロール１０の回転を規制する。これにより、掲揚物１は図１に示すように広げられた見易い形態に掲揚され、外風が作用しても支柱３部分に巻き付いたりせず、操作性も良好である。外風に対して掲揚物１は図９（Ａ）、（Ｂ）に示すように抵抗の少ない外風の方向に略平行となる位置に回動する。外風の向きに応動する機能は、掲揚物１と保持部材４との面積があるため果たしうるが、羽根２２を設けた方がより良好な外風に対する応動性がえられる。索材２３は、支柱３内に収まっているため外風の影響を受けず、外風で揺すぶられ支柱部分７等に衝突して耳障りな音を発することもない。また、索材２３を風雨に晒されないようにしておくことができ、索材２３の劣化も防止することができる。
【００１７】
掲揚物１を降ろすには掲揚操作の逆手順での操作をすればよい。掲揚物１を降ろし保持部材４から取り外した後は、支持ピン２１のナットを外し支持ピン２１を抜いて図８に示すように水平方向の取付けバー１９を折り畳んでおけばコンパクトな状態になる。非使用時についても保持部材４を支柱部分７の上部に位置させておく方が、索材２３が外風で揺れたり風雨に晒されずに済むので都合がよい。
【００１８】
なお、掲揚物１としては旗の他、幟や鯉のぼり等も適用することができる。また、図１０，図１１に示すようにベース構造６を一側部の開放した支持部分２５を備えた構成とし、これに支柱部分７の下端部を枢支させるようにして、抜き差しできる固定ピン２６を支持部分２５と支柱部分７に跨って装着する構成を採ることにより、非使用時には支柱部分７を倒伏させておくことができ、台風等、強風時の事故防止に有効なものとなる。
【００１９】
また、支柱３は一定径の管体の他、上方部が細くなった管体であってもよい。この場合の案内リングは、前記した一定径のリングに代え、支柱の外径に対応し易い可撓性構造のものが好ましい。たとえば、ひも体に金属玉を多数個挿通した、じゅず状構造などの案内リングとすることができる。
【００２０】
【発明の効果】
請求項１の発明によれば、非使用時に索材が外風を受けても支柱に衝突することは殆どないばかりでなく、索材を外風の作用を受けない支柱内に収めておくこともでき、耳障りな音を発することのない掲揚装置が得られる。
【００２１】
しかも、請求項１の発明によれば、掲揚物を見易い状態に保持することができるうえ、風向きに応じで掲揚物が回動するようになり、索材の絡み付きもなく操作性が向上する。
【００２２】
請求項２の発明によれば、請求項１に係る前記効果とともに風向きに対する応動性が向上する。
【図面の簡単な説明】
【図１】実施の形態の掲揚装置の正面図である。
【図２】実施の形態の掲揚装置のベース構造部分の拡大縦断面図である。
【図３】実施の形態の掲揚装置のベース構造部分の拡大横断面図である。
【図４】実施の形態の掲揚装置のキャップ部分の拡大縦断面図である。
【図５】実施の形態の掲揚装置のキャップ部分の拡大横断面図である。
【図６】実施の形態の掲揚装置の保持部材を示す拡大正面図である。
【図７】実施の形態の掲揚装置の保持部材を示す拡大平面図である。
【図８】実施の形態の掲揚装置の保持部材の折り畳み形態を示す拡大正面図である。
【図９】実施の形態の掲揚装置の外風に対する動作を示す説明図である。
【図１０】実施の形態の他の掲揚装置を一部を破断して示す正面図である。
【図１１】図１０の掲揚装置の機能を示す部分正面図である。
【符号の説明】
１  掲揚物、  ３  支柱、  ４  保持部材、  １１  リール、  １５  索材挿通孔、  １８  取付けバー、  １９  取付けバー、  ２０  案内リング、  ２２  羽根、  ２３  索材。
【図１】
0003571586.tif 000002
【図２】
0003571586.tif 000003
【図３】
0003571586.tif 000004
【図４】
0003571586.tif 000005
【図５】
0003571586.tif 000006
【図６】
0003571586.tif 000007
【図７】
0003571586.tif 000008
【図８】
0003571586.tif 000009
【図９】
0003571586.tif 000010
【図１０】
0003571586.tif 000011
【図１１】
0003571586.tif 000012